(57)【要約】【目的】市販されているラムネ菓子などのようなタブレット形状のスナック菓子を複数個収容し、適宜な操作によってタブレット形状菓子を所定方向に撃ち出すことができる機能を備えた菓子収容容器を提供する。【構成】市販されている所定サイズのタブレット形状菓子２を容器本体１内に複数個収容し、収容したタブレット形状菓子２を１つずつ射出部６に導出し、容器本体１外部のスライド式操作部７によって射出機構６を操作して内蔵したスプリング５の弾性によって容器本体に設けた開口部８から所定方向に向けて弾き出すようにしたタブレット形状菓子の撃ち出し機能付き容器。【選択図】      図１
2005212860.tif 000002
【特許請求の範囲】
【請求項１】
市販されている所定サイズのタブレット形状菓子を容器本体内に複数個収容し、収容したタブレット形状菓子を１つずつ射出部に導出し、容器本体外部のスライド式操作部によって射出機構を操作して内蔵したスプリングの弾性によって容器本体に設けた開口部から所定方向に向けて弾き出すようにしたことを特徴とするタブレット形状菓子の撃ち出し機能付き容器。
【請求項２】
開口部が容器本体上部に設けられたものであり、弾き出し方向が垂直上方であることを特徴とする請求項１に記載のタブレット形状菓子の撃ち出し機能付き容器。
【請求項３】
玩具本体を透明素材で形成することで内部構造およびタブレット形状菓子の撃ち出し状況を外部から観察できるようにしたことを特徴とする請求項１または請求項２に記載のタブレット形状菓子の撃ち出し機能付き容器。
【発明の詳細な説明】
【技術分野】
【０００１】
本発明は、広く市販されているラムネ菓子などのようなタブレット形状のスナック菓子を複数個収容し、適宜な操作によってタブレット形状菓子を所定方向に撃ち出すことができる機能を備えた菓子収容容器を提供するものである。
【背景技術】
【０００２】
ラムネ菓子や粒状チューインガムなどのスナック菓子を薬の錠剤形状などに採用されているタブレット形状として複数個をまとめて包装し市販することは現在広く行われている。
【０００３】
このタブレット形状菓子はその細かい形状において若干のバリエーションはあるものの、一粒のサイズは略一定のものとなっており、また、適当な個数を一まとめにして比較的簡単な構造の玩具と一緒に所謂「食玩」（食品玩具）としてコンビニエンスストアーなどで販売されることが多い。
【０００４】
また、一定形状のスナック菓子を任意に１つずつ取り出す機能を有する専用の包装容器の如きも提案され普及している。
【０００５】
例えば、一定のサイズの円盤状ラムネ菓子をきちんと積重ねて収容し、順番に一つずつ取り出す容器にキャラクター形状部材を利用して玩具的面白さを付加したものとして以下の如きが存在している。
【特許文献１】実開平５−４９５５８号公報
【発明の開示】
【発明が解決しようとする課題】
【０００６】
しかし、上記したような従来の技術においては、ランダムな状態で複数個収容されたタブレット形状菓子を一つずつ弾き出して取り出す機能を備えた収容容器は提案されておらず、また、円盤状ラムネ菓子などを一つずつ取り出す専用の包装容器などでも該ラムネ菓子をスプリングなどの弾性を利用して垂直上方に撃ち出すようなものは提案されていない。
すなわち、一つずつの菓子取り出しに適宜な動作を加えて面白さを追求するとしても、既に公知になった手法以外の提案は困難であった。
【課題を解決するための手段】
【０００７】
本発明は、上記したような従来のものにおける課題を解決するために検討と研究を重ねて創作されたものであって、複数個のタブレット形状菓子をランダムな状態で収容しながらも一つずつを本発明容器から所定方向に撃ち出すことができるタブレット形状菓子収容容器を開発したものであって、具体的には以下の如くである。
【０００８】
（１）  市販されている所定サイズのタブレット形状菓子を容器本体内に複数個収容し、収容したタブレット形状菓子を１つずつ射出部に導出し、容器本体外部のスライド式操作部によって射出機構を操作して内蔵したスプリングの弾性によって容器本体に設けた開口部から所定方向に向けて弾き出すようにしたことを特徴とするタブレット形状菓子の撃ち出し機能付き容器。
【０００９】
（２）  開口部が容器本体上部に設けられたものであり、弾き出し方向が垂直上方であることを特徴とする前記（１）項に記載のタブレット形状菓子の撃ち出し機能付き容器。
【００１０】
（３）  玩具本体を透明素材で形成することで内部構造およびタブレット形状菓子の撃ち出し状況を外部から観察できるようにしたことを特徴とする前記（１）項または（２）項に記載のタブレット形状菓子の撃ち出し機能付き容器。
【発明の効果】
【００１１】
市販されている所定サイズのタブレット形状菓子を容器本体内に複数個収容し、収容したタブレット形状菓子を１つずつ射出部に導出し、容器本体外部のスライド式操作部によって射出機構を操作して内蔵したスプリングの弾性によって容器本体に設けた開口部から所定方向に向けて弾き出すようにしたことで、ランダムな状態で多数個収容されている各種のタブレット形状菓子を一つずつ順次に容器外に弾き出して任意に食することができるようになる。
【００１２】
開口部が容器本体上部に設けられたものであり、弾き出し方向が垂直上方であることで、真上に撃ちだしたタブレット形状菓子が落下してくる状態を巧みにキャッチすることを楽しむといった娯楽性が実現されることになる。
【００１３】
玩具本体を透明素材で形成することで内部構造およびタブレット形状菓子の撃ち出し状況を外部から観察できるようにしたことで、容器内部の射出機構の動作や順次に弾き出されるタブレット形状菓子の動きなどを外部から観察して楽しむことができるようになる。
【発明を実施するための最良の形態】
【００１４】
上記したような本発明によるタブレット形状菓子の撃ち出し機能付き容器１について、その具体的な実施形態の若干例を、添付図面を利用しながら以下説明する。
図１は、本発明のタブレット形状菓子の撃ち出し機能付き容器１の内部構造を透視図的に示して説明する図面である。ここで、図１（ａ）は正面図方向からの透視図であり、図１（ｂ）は側面図方向からの透視図、図１（ｃ）は平面図方向からの透視図である。
【００１５】
図示するところから明らかなように、本発明の容器１は市販されている所定サイズの各種タブレット形状菓子２を複数個ランダムな状態で収容する収容部３、タブレット形状菓子２を一つずつ順次に弾き出すために案内するガイド部４、スプリング５の弾性を利用して実際にタブレット形状菓子２を撃ち出す射出機構６、射出機構６を操作するスライド式操作部７、所定方向に向けてタブレット形状菓子２を放出するために形成された開口部８をその基本的構成要素としている。
【００１６】
また、図１の場合には、容器１の上方部分に垂直上向きの開口部８を形成しており、タブレット形状菓子２を一つずつ真上に撃ち上げる構成を示しており、使用しない間に該開口部８を保護するための蓋部材９を採用するものとして表している。この蓋部材９は蝶番１０によって容器１の本体と接続されており、任意に開閉自在なものとされている。もちろん、タブレット形状菓子２を撃ち出す場合には蓋部材９を開いた上でスライド式操作部７を操作して一つずつ取り出すようにするものである。
【００１７】
次に実際の使用手順を図示のタイプのものについて説明する。
まず、容器１の収容部３にタブレット形状菓子２を所望の複数個収容させるが、これは蓋部材９を開き、更に本体上部の開口部８の横にはめ込み式ストッパー１１によって固定するようにされた収容カバー１２を開き、ここからタブレット形状菓子２を入れるようになっている。
【００１８】
複数のタブレット形状菓子２はこの収容部３内にランダムな状態で収容されるものである。つまり、一つずつ弾き出すのに都合が良いように収容部３内できれいに整列させておくようなことは行わないのである。
【００１９】
収容したタブレット形状菓子２の中で収容部３の下方に位置しているものは重力によって自然に収容部３の下方に設けられたガイド部４に導かれる。このガイド部４は一般的に市販されている形状およびサイズのタブレット形状菓子２が一つずつ順番に並んで射出機構６に到達するように、その幅を狭めると共に適当な傾斜を付けられている。
【００２０】
ここで、図面ではタブレット形状菓子２を球形のものとして表現しているが、市販されているタブレット形状菓子２のように球形とは言い得ない形状のものであってもガイド部４において適切に並び一つずつ射出機構６に導かれるように幅や傾斜が規制されている。
【００２１】
この状態から実際にタブレット形状菓子２を撃ち出すには、蓋部材９を開放した後にスライド式操作部７を下方に滑らせて操作し、その動きを受けて弾き出し部１３をスプリング５の弾性に抗して下降させる。すると一個のタブレット形状菓子２がその上に乗せられるが、所定位置まで下がるとスライド式操作部７による下方への動きから開放され、蓄えられたスプリング５の弾力を一気に受けて開口部８を経て容器１に対して垂直上方に撃ち出されることになるものである。
【００２２】
弾き出し部１３がタブレット形状菓子２を撃ち出した後に元の位置に戻るとガイド部４に並んでいた次のタブレット形状菓子２が傾斜を下降して撃ち出し位置に準備されている常態になり、再度スライド式操作部７を操作することで連続的に開口部８から撃ち出されるようになるものである。
【００２３】
タブレット形状菓子２の撃ち出し強さはスプリング５の弾性力によって左右される。ただし、食品であるタブレット形状菓子２をあまりに強く撃ち出しする必要はなく、図示のように垂直上方に撃ち出す場合には１０ｃｍ〜２０ｃｍ程度撃ち上げる程度のスプリング強さに調整しておくことが好ましい。
【００２４】
本発明の容器１において収容したタブレット形状菓子２を一つずつ撃ち出すための構成は、基本的には古くから子供向けの玩具としてある『銀弾鉄砲』で収容した小さな銀弾を一つずつ撃ち出すために採用されていたものと同様であり、シンプルで且つ不具合などが生じ難い構造となっている。ただし、本発明では容器１に収容するのが銀弾ではなく市販されている種々のタブレット形状菓子２であるから、収容部３やガイド部４の形状やサイズ、傾斜の程度を相応しいものとし、射出機構６についても同様の配慮を行っているものである。
【００２５】
したがって、収容部３およびガイド部４と射出機構６との関係が相応しいものになっている限りでは、タブレット形状菓子２の撃ち出し方向は任意の所定方向とすることができるのである。
【００２６】
図２は、上記した本発明品を実際に使用している状態の外観を説明する図面である。蓋部材９を開きスライド式操作部７を下方に操作することで収容したタブレット形状菓子２を一つ開口部８から撃ち出している状態が理解される。
【００２７】
また、本発明の容器１の外観構成については、透明なプラスチック素材などを用いたスケルトン形式のものを採用し、図示の透視図のように内部構造や収容したタブレット形状菓子２、その撃ち出し動作などを使用者が外部から観察できるようにしておけば、美観的に際立つデザインとなると共に内部構造に対する好奇心などをも満たすものとすることができる。
もちろん、この場合の透明は内部構造が透けて見えればよいにであるから、赤や青、ピンクといった色彩を含んだ透明素材であれば充分で、部分的に不透明部分が存在していても構わない。
【実施例】
【００２８】
上記した説明のようにして本発明の容器１に市販のタブレット形状菓子２を収容し実際に撃ち出し操作を行ってみた。スプリング５の強さは垂直上方に約２０ｃｍ撃ち上げる程度のものとしている。片手で一つずつ撃ち出し操作すると他方の手で撃ちだされたタブレット形状菓子２を容易にキャッチすることができた。
また、容器を顔よりも上に持ち上げた状態で操作する場合には撃ち上げられて落下してくるタブレット形状菓子２を直接口でキャッチするようなこともできた。
単に市販の包装容器からタブレット形状菓子２を取り出して食するよりも娯楽性を感じることが可能となっている。
【産業上の利用可能性】
【００２９】
以上説明したように本発明によるときは、シンプルな構造でありながら従来何ら提案されていなかったタブレット形状菓子の携帯収容および娯楽的要素を含んだ取り出し方が実現され、従来品にない面白さを持った製品となっている。
したがって、本発明品は市場に新たな需要を生み出すものとして高い産業上の利用可能性を有しているものである。
【図面の簡単な説明】
【００３０】
【図１】本発明によるタブレット形状菓子の撃ち出し機能を備えた容器の内部構造を透視図的に示した説明図である。
【図２】本発明品を実際に使用する様子の外観を説明する図面である。
【符号の説明】
【００３１】
１  本発明の容器
２  タブレット形状菓子
３  収容部
４  ガイド部
５  スプリング
６  射出機構
７  スライド式操作部
８  開口部
９  蓋部材
１０  蝶番
１１  はめ込み式ストッパー
１２  収容カバー
１３  弾き出し部
【図１】
2005212860.tif 000003
【図２】
2005212860.tif 000004